(57)【要約】      （修正有）【課題】施工工期を短縮でき、軽量且つ高強度であり、更には断熱性に優れた屋根パネルを提供する。【解決手段】屋根の勾配方向に沿って相互に所定の位置に複数並設されるパネル本体であって、前記パネルが軽量材料を用いて構成され、前記パネル本体の内部には複数の間仕切り板が備わり、前記パネルの上部表面には複数の瓦が敷かれた形状を具備した、若しくは化粧板パネルを積層させた形状を具備した屋根パネル２００を提供する。【選択図】図１０
0003208627.tif 000002
【実用新案登録請求の範囲】
【請求項１】
屋根の勾配方向に沿って相互に所定の位置に複数並設されるパネル本体であって、前記パネルが繊維強化プラスチック又は石綿スレート材料を用いて構成され、前記パネル本体の内部には複数の間仕切り板と、間仕切りされた各空虚部には断熱材料が備わり、前記パネルの上部表面には複数の瓦が敷かれた形状を具備した、若しくは化粧板パネルを積層させた形状を具備した屋根パネル。
【請求項２】
前記屋根パネル同士が隣接するパネル側面には嵌合凸部と嵌合凹部とを嵌合させる構造を備えた請求項１記載の屋根パネル。
【請求項３】
前記屋根パネルを並設させる屋根板に固定するための貫通孔が少なくとも前記屋根パネル底面に複数備わった請求項１記載の屋根パネル。
【考案の詳細な説明】
【技術分野】
【０００１】本考案は、屋根パネルに関する。
【背景技術】
【０００２】木造建築における屋根の施工方法の一例として、従来工法では、棟木、母屋、軒桁の間に垂木を架け、その上に野地板を張ってさらに断熱材やシール部材を敷くことで防水処理を行い、その上に瓦や屋根板などの屋根外装材を敷くなどの方式が採られていた。しかし、このような方式では、資材数が多くなるため高所での作業が多く、危険であり、且つ施工工期が長く高価になるなどの課題があった。
【先行技術文献】
【特許文献】
【０００３】
【特許文献１】特開平６−３４１１９０号
【特許文献２】特開平１０−２１１６４５号
【０００４】
【考案の概要】
【考案が解決しようとする課題】
【０００５】木造建築に於ける屋根の施工に関しては、従来工法だと施工工期や価格面での課題がある。又、屋根材の中では圧倒的なシェアを占める和瓦では重量が重くなるために耐震性に劣るなどの課題などがある。一方、人口スレート化粧板（一枚幅９１０ｍｍ）の場合には薄板形状であるため前記人口スレート板１枚毎にスクリュー釘を４本使用して取り付け、且つ重ね部分を大きく積層することで屋根構造を保つものであるため部分的に取り外しを行う事が非常に困難である。【０００６】この課題を解決するために、特許文献１は、予め設定された強度を有する枠状のフレームに表面材を取り付けた屋根パネルでありパネル面に対し垂直方向に作用する外力に対して充分な強度を有し、且つパネル面に対し平行な方向に作用する外力に対して充分に高い剛性を持って構成されており、屋根躯体の一部を構成する構造部材としての機能を発揮し得るように構成されたものである。この屋根パネルを屋根躯体に取り付けたとき、同時に屋根の下地の一部を完成し得るように構成されている。【０００７】特許文献２には、相互に所定の間隔を置いて並べられた複数のＩ型ビームと、この複数のＩ型ビームの長さ方向の一方側の端を塞いで貼り付けられた軒桟材と、前記複数のＩ型ビームの長さ方向の他方側の端に設けられた間隔材と、前記複数のＩ型ビームの縦方向の両端に設けられ、前記複数のＩ型ビームが作る空間を上下から塞ぐ屋根合板及び軒天合板と、前記Ｉ型ビームと前記屋根合板及び軒天合板で囲まれた空間内に設けられた断熱材とを具備する屋根パネルがある。【０００８】
【課題を解決するための手段】
【０００９】上記課題に鑑み、考案者は誠意工夫の結果、屋根の勾配方向に沿って相互に所定の位置に複数並設されるパネル本体であって、前記パネルが軽量材料を用いて構成され、前記パネル本体の内部には複数の間仕切り板と、間仕切りされた各空虚部には断熱材料が備わり、前記パネルの上部表面には複数の瓦が敷かれた形状を具備した、若しくは化粧板パネルを積層した模様を具備した屋根パネル屋根パネルを考案した。【００１０】また、前記パネルの材質が、繊維強化プラスチック、石綿スレートから製造され、隣接するパネル側面には嵌合凸部と嵌合凹部とを嵌合させる構造を備えた屋根パネルであり、前記屋根パネルを並設させる屋根板に固定するための貫通孔が前記屋根パネル底面に複数備えた屋根パネルである。
【考案の効果】
【００１１】本考案によれば、施工工期の短縮、軽量且つ高強度であり、更には断熱性に優れた屋根パネルを提供できる。
【図面の簡単な説明】
【００１２】
【図１】本考案の一実施例である屋根パネル正面図を示す。
【図２】図１の屋根パネル右側面図を示す。
【図３】図１の屋根パネル左側面図を示す。
【図４】図１の屋根パネル背面図を示す。
【図５】図１の屋根パネル上面図を示す。
【図６】図１の屋根パネル下面図を示す。
【図７】図１の屋根パネル蓋を取り外した内部構造図を示す。
【図８】図１の屋根パネルを並設した一例を示す。
【図９】図１の屋根パネルを並設した一例を示す。
【図１０】蓋部を瓦構造とした屋根パネルの概略図を示す。
【図１１】屋根パネル側面に貫通孔を具備させた屋根パネル左側面図を示す。
【図１２】屋根パネル側面貫通孔のパネル内部構造を示す。
【図１３】屋根パネル側面貫通孔のパネルを屋根板に取り付けた状態を示す。
【考案を実施するための形態】
【００１３】以下、本考案に係る実施の形態を図面により説明する。
【実施例】
【００１４】本考案の一実施例である屋根パネル（１００）を簡略した正面図を図１に示すが、繊維強化プラスチックから成るパネル本体部（１）とパネル蓋部（２）から構成され、前記パネル本体部（１）の側面には嵌合凸部（３）と対面には嵌合凹部（４）、前記パネル蓋部（２）にはパネル蓋部側面の段差上側部（５）とパネル蓋部側面の段差下側部（６）が備わっている。【００１５】前記屋根パネル（１００）の右側面図を図２に、左側面図を図３に、背面図を図４に、上面図を図５に示す。図６は前記屋根パネル（１００）の下面図を示しているが前記パネル本体部（１）には貫通孔（７）が四隅近辺に具備している。【００１６】図７は前記屋根パネル蓋部（２）を取り外した前記屋根パネル本体部（１）の内部構造を示すが、繊維強化プラスチックから成る間仕切り板（８）を井桁状に前記パネル本体部（１）の高さと一致するように固定している。【００１７】図８は、前記屋根パネル（１００）を２個並設した状態を示す。前記屋根パネル（１００）の側面に備わる嵌合凸部（３）を屋根パネル（１０１）の側面に備わる嵌合凹部にて嵌め合せる。図９は、屋根パネル（１００）に対して縁部に設置するための屋根パネル（１５０）を並設した状態を示す。前記縁部に設置するための屋根パネル（１５０）の側面に備わる嵌合凸部を屋根パネル（１００）の側面に備わる嵌合凹部にて嵌め合せた状態である。図１０は、屋根パネル蓋部を瓦敷した形状の屋根パネル（２００）を示す。本形状の屋根パネル（２００）を屋根板に所定の枚数並設することで日本式の瓦屋根構造の屋根が完成する。【００１８】図１１は、前記パネル本体部（１）の下面に貫通させた貫通孔（７）の代わりに前記パネル本体部（１）の側面に側面貫通孔（９）を具備させた他の実施形態であり、前記パネル本体部（１）の側面だけでなく下面側にも貫通孔を備えている。図１２は、図１１記載の屋根パネルを屋根に取り付けた状態を示す。具体的には、パネル本体部（１）を屋根板（１１）に貼り付けられた防水シート（１０）に搭載し、パネル本体部（１）に具備されている側面貫通孔（９）からワッシャを挿入した金属製のネジ（１２）を挿入し前記パネル本体部（１）の下面にも貫通させた孔を経由して前記屋根板（１１）に捻じ込み固定し、図示していないが屋根パネル蓋部（２）を接着又はネジ等で固定させることで完成する。又、前記屋根パネル蓋部（２）を固定する前に前記パネル本体（１）の空間領域に籾殻や活性炭などを詰め込めば断熱材として作用する。【００１９】尚、実施例に記載した本考案は一例に過ぎず、例えば屋根パネル蓋部に瓦瓦敷した形状でなく化粧屋根板を貼り合せた形状でも良く、パネル本体内部の間仕切り板は井桁状でなくハニカム構造にしても良く、
【産業上の利用可能性】
【００２０】本考案のシャワー室によれば、災害時でも車体本体だけでなく取り付け可能な柱や壁があれば、被害者は常時シャワーを浴びることも可能となる
【符号の説明】
【００２１】１      パネル本体部
２      パネル蓋部
３      嵌合凸部
４      嵌合凹部
５      パネル蓋部側面の段差上側部
６      パネル蓋部側面の段差下側部
７      貫通孔
８      間仕切り板
９      側面側貫通孔
１０    防水シート
１１    屋根下地板
１２    金属製のネジ
１００  本考案の屋根パネルを簡略した外観図
１０１  屋根パネル（１００）と同一構造の屋根パネルを簡略した外観図
１５０  縁部に設置する屋根パネルを簡略した外観図
２００  蓋部を瓦構造とした屋根パネル
【図１】
0003208627.tif 000003
【図２】
0003208627.tif 000004
【図３】
0003208627.tif 000005
【図４】
0003208627.tif 000006
【図５】
0003208627.tif 000007
【図６】
0003208627.tif 000008
【図７】
0003208627.tif 000009
【図８】
0003208627.tif 000010
【図９】
0003208627.tif 000011
【図１０】
0003208627.tif 000012
【図１１】
0003208627.tif 000013
【図１２】
0003208627.tif 000014
【図１３】
0003208627.tif 000015